(57)【要約】【課題】  車両への搭載を容易にする。【解決手段】  側面視がショッピングカート１０の前方側に切欠３３のある円形とされた脚部１４の切欠３３内に、車体３０のトランクフロア３２を挿入することで、カート本体１２を車体３０のトランクフロア３２の上方へ移動できるようになっている。また、脚部引き上げ用取っ手７６を持って脚部１４を縮めることで、第３脚部４０と第２脚部３８が、第１脚部３６と重なり、カート本体１２の側面に脚部１４を収納できると共に、ショッピングカート１０を車体３０のトランクフロア３２上に載置できるようになっている。【選択図】  図１
2005335610.tif 000002
【特許請求の範囲】
【請求項１】
運搬物収容部と、
側面視が前後方向の一方側に切欠のある円形とされ、上部が前記運搬物収容部の側面に固定され、下部にキャスターが配設された脚部を有し、
前記脚部は、円周方向に沿って伸縮可能となっていることを特徴とする車両搭載用カート。
【請求項２】
前記脚部は円周方向に対して複数の脚部に分割されており、前記複数の脚部を連動させる連動手段を有することを特徴とする請求項１に記載の車両搭載用カート。
【請求項３】
前記運搬物収容部の前記脚部に対する傾斜角度を調整する傾斜角度調整手段を有することを特徴とする請求項１に記載の車両搭載用カート。
【発明の詳細な説明】
【技術分野】
【０００１】
本発明は車両搭載用カートに関し、特に、自動車等の車両への搭載時に脚部が邪魔にならない車両搭載用カートに関する。
【背景技術】
【０００２】
従来、自動車等の車両への搭載時に脚部が邪魔にならない車両搭載用カートにおいては、上方に物品収容部を備えたカート本体の脚部をカート本体へ折畳むことでコンパクトに搭載できるようにした構成が知られている（例えば、特許文献１参照。）。
【特許文献１】特開平１１−０５９４２８号公報。
【発明の開示】
【発明が解決しようとする課題】
【０００３】
しかしながら、特許文献１の車両搭載用カートでは、車外で脚部をカート本体へ折畳んだ後に、カート本体を車内へ搭載する必要がある。この結果、車内へのカートの搭載が煩雑となり、車両への搭載が容易でない。
【０００４】
本発明は上記事実を考慮し、車両への搭載が容易な車両搭載用カートを提供することが目的である。
【課題を解決するための手段】
【０００５】
請求項１記載の本発明の車両搭載用カートは、運搬物収容部と、
側面視が前後方向の一方側に切欠のある円形とされ、上部が前記運搬物収容部の側面に固定され、下部にキャスターが配設された脚部を有し、
前記脚部は、円周方向に沿って伸縮可能となっていることを特徴とする。
【０００６】
従って、円周方向に沿って伸縮可能とされた車両搭載用カートの脚部のキャスターが配設された下部を、運搬物収容部の側面に固定された上部側に対して伸縮することで、車両搭載用カートの運搬物収容部の高さを、車体の運搬物収容部搭載部の高さに合わせることができる。また、車両搭載用カートを車両に搭載する際には、側面視がカートの前後方向の一方側に切欠のある円形とされた脚部の前記切欠内に、車体の運搬物収容部搭載部を挿入することで、車両搭載用カートの運搬物収容部を、車体の運搬物収容部搭載部の上方へ移動することができる。その後、車両搭載用カートの脚部を円周方向に沿って収縮し、キャスターが配設された下部を、運搬物収容部の側面に固定された上部側へ移動することで、運搬物収容部の側面に脚部を収納できると共に、車両搭載用カートを、車体の運搬物収容部搭載部上に載置できる。この結果、車両搭載用カートの車両への搭載が容易となる。
【０００７】
請求項２記載の本発明は、請求項１に記載の車両搭載用カートにおいて、前記脚部は円周方向に対して複数の脚部に分割されており、前記複数の脚部を連動させる連動手段を有することを特徴とする。
【０００８】
従って、請求項１に記載の内容に加えて、円周方向に沿って伸縮可能とされた車両搭載用カートの脚部のキャスターが配設された下部を、運搬物収容部の側面に固定された上部側に対して伸縮する際に、連動手段によって、円周方向に対して分割された複数の脚部が連動するため、操作性が良い。
【０００９】
請求項３記載の本発明は、請求項１に記載の車両搭載用カートにおいて、前記運搬物収容部の前記脚部に対する傾斜角度を調整する傾斜角度調整手段を有することを特徴とする。
【００１０】
従って、請求項１に記載の内容に加えて、円周方向に沿って伸縮可能とされた車両搭載用カートの脚部のキャスターが配設された下部を、運搬物収容部の側面に固定された上部側に対して伸縮することで、車両搭載用カートの運搬物収容部の高さを変えた場合に、傾斜角度調整手段によって運搬物収容部の前記脚部に対する傾斜角度を調整することができる。このため、車両搭載用カートの運搬物収容部の高さを変えた場合もに運搬物収容部を水平にできる。
【発明の効果】
【００１１】
請求項１記載の本発明は、運搬物収容部と、側面視が前後方向の一方側に切欠のある円形とされ、上部が運搬物収容部の側面に固定され、下部にキャスターが配設された脚部を有し、脚部は、円周方向に沿って伸縮可能となっているため、車両搭載用カートの車両への搭載が容易となるという優れた効果を有する。
【００１２】
請求項２記載の本発明は、請求項１に記載の車両搭載用カートにおいて、脚部は円周方向に対して複数の脚部に分割されており、複数の脚部を連動させる連動手段を有するため、請求項１記載の効果に加えて、操作性が良いという優れた効果を有する。
【００１３】
請求項３記載の本発明は、請求項１に記載の車両搭載用カートにおいて、運搬物収容部の脚部に対する傾斜角度を調整する傾斜角度調整手段を有するため、請求項１に記載の効果に加えて、車両搭載用カートの運搬物収容部の高さを変えた場合もに運搬物収容部を水平にできるという優れた効果を有する。
【発明を実施するための最良の形態】
【００１４】
本発明における車両搭載用カートの一実施形態を図１〜図４に従って説明する。
【００１５】
なお、図中矢印ＵＰはカートの上方方向を示し、矢印ＦＲはカートの前方方向を示している。
【００１６】
図１及び図２に示される如く、本実施形態では、カートとしてのショッピングカート１０が運搬物収容部１２と脚部１４とで構成されている。運搬物収容部１２は、買い物籠保持台１６上に配設された買い物籠１８と、買い物籠１８の後端上部に配設されたカート手押しハンドル２０と、を備えている。また、買い物籠保持台１６の前端下部には、買い物籠移動用キャスター２２が配設されており、買い物籠保持台１６の後端下部には、買い物籠移動防止用ストッパ２４が配設されている。
【００１７】
従って、図２に示される如く、運搬物収容部１２は、車体３０の運搬物収容部搭載部であるトランクフロア３２上から買い物籠移動防止用ストッパ２４を離間させることで買い物籠移動用キャスター２２によって容易に移動できると共に、トランクフロア３２上に買い物籠移動防止用ストッパ２４を当接させることで、トランクフロア３２上に保持できるようになっている。
【００１８】
図１に示される如く、ショッピングカート１０の脚部１４は、側面視がショッピングカート１０の前方向側に切欠３３のある円形とされた、Ｃ字状の円弧形状となっている。また、脚部１４は、上方から下方へ向かって、第１脚部３６、第２脚部３８、第３脚部４０に３分割されている。
【００１９】
第１脚部３６の前端部３６Ａは、買い物籠保持台１６の側面１６Ａの前部１６Ｂに、軸４２によって上方（図１の矢印Ａ方向）と下方（図１の矢印Ｂ方向）とへ回転可能に軸支されている。また、第１脚部３６の前後方向略中央部には、傾斜角度調整手段としてのナット４４が配設されている。
【００２０】
買い物籠保持台１６の側面１６Ａの後部１６Ｃからは、傾斜角度調整手段としての買い物籠保持台水平調整スライド４６がショッピングカート１０の前方上側へ向かって立設されており、買い物籠保持台水平調整スライド４６は上方に膨らんだ円弧状となっている。また、買い物籠保持台水平調整スライド４６には、スリット４８が買い物籠保持台水平調整スライド４６の長手方向に沿って形成されている。
【００２１】
図３に示される如く、買い物籠保持台水平調整スライド４６のスリット４８には、買い物籠保持台１６の内側から、傾斜角度調整手段としての買い物籠保持台水平調整スライドロック５０が挿入されている。買い物籠保持台水平調整スライドロック５０の先端部に形成された螺子部５０Ａは第１脚部３６に配設されたナット４４に螺合されている。
【００２２】
従って、買い物籠保持台水平調整スライド４６に対する買い物籠保持台水平調整スライドロック５０の位置を変えることにによって、運搬物収容部１２の脚部１４に対する傾斜角度、即ち、運搬物収容部１２の路面Ｒに対する傾斜角度を調整することができるようになっている。
【００２３】
図１に示される如く、第１脚部３６の後端部３６Ｂは、第２脚部３８の上端部３８Ａの内部に挿入されており、第２脚部３８の下端部３８Ｂは、第３脚部４０の後端部４０Ａの内部に挿入されている。また、脚部１４は、第１脚部３６が第２脚部３８の内部に入り、第２脚部３８が第３脚部４０の内部に入ることで、図２に示される如く、円周方向に沿って収縮可能となっている。また、脚部１４は、図２の位置から図１の位置へ伸長可能となっている。
【００２４】
図４に示される如く、第２脚部３８の上端部３８Ａの内部には、上ローラ５４と下ローラ５６が軸５８、６０によってそれぞれ回転可能に配設されており、上ローラ５４と下ローラ５６との間に第１脚部３６が挿入されている。
【００２５】
図１に示される如く、第３脚部４０の後端部４０Ａの内部には、上ローラ６２と下ローラ６４が軸６６、６８によってそれぞれ回転可能に配設されており、上ローラ６２と下ローラ６４との間に第２脚部３８が挿入されている。
【００２６】
第３脚部４０の後端部４０Ａの下部には、ショッピングカート移動用キャスター７０が配設されており、第３脚部４０の前端部４０Ｂの下部にも、ショッピングカート移動用キャスター７２が配設されている。
【００２７】
図１及び図３に示される如く、脚部１４は左右一対配設されており、第３脚部４０の前端部４０Ｂに配設した連結棒７５によって連結されている。
【００２８】
図３に示される如く、第２脚部３８の上端部３８Ａの外側部には、脚部引き上げ用取っ手７６が配設されている。
【００２９】
図４に示される如く、第２脚部３８の上ローラ５４の外周部には、連動手段としてのローラ回転伝達用ベルト７８が巻着されており、このローラ回転伝達用ベルト７８は、ゴム等で構成されている。
【００３０】
図１に示される如く、ローラ回転伝達用ベルト７８は第３脚部４０の下ローラ６４の外周部にも巻着されている。
【００３１】
従って、取っ手７６を持って第２脚部３８を脚部１４の周方向に沿って上方（図１の矢印Ｃ方向）へ移動すると、上ローラ５４とともにローラ回転伝達用ベルト７８が回転し、ローラ回転伝達用ベルト７８の回転によって、下ローラ６４が回転することで、第３脚部４０が脚部１４の周方向に沿って上方（図１の矢印Ｄ方向）へ移動するようになっている。
【００３２】
また、図２に示される如く、第３脚部４０と第２脚部３８は、第１脚部３６と重なり、運搬物収容部１２の側面に収納される位置まで移動可能となっている。この時、図２に示される如く、連結棒７５は、買い物籠１８と干渉しないようになっている。
【００３３】
なお、図１に示される如く、第３脚部４０は、第２脚部３８に対して固定ねじ８０によって任意の位置で固定できるようになっており、第２脚部３８は、第１脚部３６に対して固定ねじ８２によって任意の位置で固定できるようになっている。また、第３脚部４０は、第２脚部３８に対してストッパ８４によって抜け出さないようになっており、第２脚部３８は、第１脚部３６に対してストッパ８６によって抜け出さないようになっている。
【００３４】
次に、本実施形態の作用を説明する。
【００３５】
本実施形態では、ショッピングカート１０の取っ手７６を持って、第２脚部３８を脚部１４の周方向に沿って上方（図１の矢印Ｃ方向）又は下方へ移動すると、上ローラ５４とともにローラ回転伝達用ベルト７８が回転し、ローラ回転伝達用ベルト７８の回転によって、下ローラ６４が回転することで、第３脚部４０が脚部１４の周方向に沿って上方（図１の矢印Ｄ方向）又は下方へ移動する。この結果、運搬物収容部１２の高さを車体３０のトランクフロア３２の高さに合わせることができる。
【００３６】
なお、この際、ストッパ８４によって、第３脚部４０は第２脚部３８から抜け出さないと共に、ストッパ８６によって、第２脚部３８は第１脚部３６から抜け出さない。また、高さ調整後、固定ねじ８０によって第３脚部４０と第２脚部３８とを固定できると共に、固定ねじ８２によって第２脚部３８と第１脚部３６とを固定できる。
【００３７】
また、ショッピングカート１０を車体３０のトランクフロア３２上に搭載する際には、図１に示される如く、側面視がショッピングカート１０の前方側に切欠３３のある円形とされた脚部１４の切欠３３内に、車体３０のトランクフロア３２を挿入し、運搬物収容部１２を車体３０のトランクフロア３２の上方へ移動する。
【００３８】
次に、固定ねじ８０、８２を緩め、ショッピングカート１０の取っ手７６を持って、第２脚部３８を脚部１４の周方向に沿って上方（図１の矢印Ｃ方向）へ移動すると、上ローラ５４とともにローラ回転伝達用ベルト７８が回転し、ローラ回転伝達用ベルト７８の回転によって、下ローラ６４が回転することで、第３脚部４０が脚部１４の周方向に沿って上方（図１の矢印Ｄ方向）へ移動する。即ち、脚部１４を円周方向に沿って縮めることができ、図２に示される如く、第３脚部４０と第２脚部３８は、側面視において第１脚部３６と略重なり、運搬物収容部１２の側面に脚部１４を収納できる。このため、ショッピングカート１０を車体３０のトランクフロア３２上に載置できる。この結果、ショッピングカート１０の車両への搭載が容易となる。
【００３９】
また、ローラ回転伝達用ベルト７８によって、第２脚部３８と第３脚部４０とが連動するため、操作性が良い。
【００４０】
なお、脚部１４を縮める際には、ショッピングカート移動用キャスター７２と路面Ｒとの干渉を防止するため、ショッピングカート１０を上方へ若干持ち上げるようにする。
【００４１】
また、本実施形態では、運搬物収容部１２の高さを変えた場合に、買い物籠保持台水平調整スライド４６に対する買い物籠保持台水平調整スライドロック５０の位置を変えることによって、運搬物収容部１２の脚部１４に対する傾斜角度、即ち、運搬物収容部１２の路面Ｒに対する傾斜角度を調整することができる。このため、運搬物収容部１２の高さを変えた場合もに運搬物収容部１２を水平にできる。
【００４２】
以上に於いては、本発明を特定の実施形態について詳細に説明したが、本発明は上記実施形態に限定されるものではなく、本発明の範囲内にて他の種々の実施形態が可能であることは当業者にとって明らかである。例えば、上記実施形態では、ショッピングカート１０の脚部１４を円周方向に沿って３個に分割したが、ショッピングカート１０の脚部１４を円周方向に沿って３個以外の他の数に分割した構成としても良い。
【００４３】
また、上記実施形態では、ショッピングカート１０の脚部１４を、側面視がショッピングカート１０の前方向側に切欠３３のある円形としたが、これに代えて、ショッピングカート１０の脚部１４を、側面視がショッピングカート１０の後方向側に切欠３３のある円形としても良い。
【００４４】
また、上記実施形態では、カートとしてのショッピングカート１０に本発明の車両搭載用カートを適用したが、本発明の車両搭載用カートは、高齢者用のカート、ベビーカート等にも適用可能である。
【図面の簡単な説明】
【００４５】
【図１】本発明の一実施形態に係る車両搭載用カートを示す側面図である。
【図２】本発明の一実施形態に係る車両搭載用カートの車体搭載状態を示す側面図である。
【図３】本発明の一実施形態に係る車両搭載用カートを示す後方から見た正面図である。
【図４】図１の４−４線に沿った拡大断面図である。
【符号の説明】
【００４６】
１０    ショッピングカート（カート）
１２    運搬物収容部
１４    脚部
１６    買い物籠保持台
１８    買い物籠
２０    ハンドル
２２    買い物籠移動用キャスター
２４    買い物籠移動防止用ストッパ
３０    車体
３２    トランクフロア
３３    脚部の切欠
３６    第１脚部
３８    第２脚部
４０    第３脚部
４４    ナット（傾斜角度調整手段）
４６    買い物籠保持台水平調整スライド（傾斜角度調整手段）
５０    買い物籠保持台水平調整スライドロック（傾斜角度調整手段）
５４    上ローラ
５６    下ローラ
６２    上ローラ
６４    下ローラ
７０    ショッピングカート移動用キャスター
７２    ショッピングカート移動用キャスター
７６    脚部引き上げ用取っ手
７８    ローラ回転伝達用ベルト（連動手段）
【図１】
2005335610.tif 000003
【図２】
2005335610.tif 000004
【図３】
2005335610.tif 000005
【図４】
2005335610.tif 000006